(57)【要約】  本発明は、光ディスクのような、読取り可能及び／又は書込み可能なデータ記憶媒体を保護するためのカートリッジに関する。カートリッジは、データ記憶媒体を包含するための第一カートリッジ部分（１）と、第一カートリッジ部分に接続され且つ第一カートリッジ部分から突出する第二カートリッジ部分（２）とを含む。第二カートリッジ部分は、カートリッジを他の物体に接続すること、或いは、データ又はコピー防止のような電子機能のような、カートリッジの少なくとも１つの二次的機能を遂行するようカスタマイズ可能である。
2008503021.tif 000002
【特許請求の範囲】
【請求項１】
読取り可能及び／又は書込み可能なデータ記憶媒体を保護する主要機能を有するカートリッジであって、
データ記憶媒体を包含するための第一カートリッジ部分と、該第一カートリッジ部分に接続され且つ該第一カートリッジ部分から突出する第二カートリッジ部分とを含み、該第二カートリッジ部分は、少なくとも１つの二次的機能を遂行するようカスタマイズ可能である、
カートリッジ。
【請求項２】
前記第一カートリッジ部分及び前記第二カートリッジ部分は、ユニットを形成し、前記第一カートリッジ部分及び前記第二カートリッジ部分は、それらの接続位置で互いに固定され、前記ユニットは、当該カートリッジの使用の間、第二カートリッジ部分が第一カートリッジ部分に接続されたままのような形状を有する、請求項１に記載のカートリッジ。
【請求項３】
前記二次的機能は、接続機能であり、前記第二カートリッジ部分は、接続手段を備える、請求項１に記載のカートリッジ。
【請求項４】
前記接続手段は、電子接続であり、前記第二カートリッジ部分は、１つ又はそれよりも多くの他の装置とのインターフェースを形成する二次的機能を有する、請求項３に記載のカートリッジ。
【請求項５】
前記第二カートリッジ部分は、さらなる二次的機能、具体的には、電子ディスクデータ保護機能を遂行し、前記機能を遂行するための電子機器を含む、請求項４に記載のカートリッジ。
【請求項６】
少なくとも使用者又は複数の使用者が、前記第一カートリッジ部分から前記第二カートリッジ部分を分離し得ないよう、前記第二カートリッジ部分は、前記第一カートリッジ部分に固定される、請求項５に記載のカートリッジ。
【請求項７】
前記接続手段は、当該カートリッジを一片の衣類のような他の物体に接続するための機械的接続である、請求項３に記載のカートリッジ。
【請求項８】
前記第二カートリッジ部分は、前記第一カートリッジ部分に解放可能に接続され、前記第一カートリッジ部分は、第一結合部材を少なくとも含み、前記第二カートリッジ部分は、前記第二カートリッジ部分を前記第一カートリッジ部分に解放可能に固定的に接続するよう、前記第一結合部材と協働するよう構成された第二結合部材を少なくとも含む、請求項１に記載のカートリッジ。
【請求項９】
前記第二カートリッジ部分は、かなりの程度まで前記第一カートリッジ部分とオーバーラップする、請求項１に記載のカートリッジ。
【請求項１０】
前記第二カートリッジ部分は、形状、色、及び、プリントの群から選択される特徴的機能を有する、請求項１に記載のカートリッジ。
【請求項１１】
上記請求項のうちいずれか１項に記載の機能の全てを提示し、且つ、上記請求項のうちいずれか１項に記載のカートリッジにおける使用のために明らかに意図されて構成される第二カートリッジ部分。
【請求項１２】
読取り可能及び／又は書込み可能なデータ記憶媒体を備える、請求項１乃至１０のうちいずれか１項に記載のカートリッジ。
【請求項１３】
前記第二カートリッジ部分は、前記データ記憶媒体上のデータのコンテンツを特定する特徴的機能を有する、請求項１２に記載のカートリッジ。
【請求項１４】
前記データ記憶媒体は、光ディスクのような回転可能なディスクである、請求項１２に記載のカートリッジ。
【請求項１５】
請求項１２に記載のカートリッジと共に使用される電子装置であって、
ディスク駆動装置を包含する筐体と、前記ディスク駆動装置による係合のためにディスクカートリッジを収容するための閉塞可能な空間とを含み、該空間は、前記第一カートリッジ部分及び前記第二カートリッジ部分の双方を収容するよう構成される電子装置。
【発明の詳細な説明】
【技術分野】
【０００１】
本発明は、読取り可能及び／又は書込み可能なデータ記憶媒体を保護するためのカートリッジに関する。
【背景技術】
【０００２】
従来技術において、磁気ディスク又は光ディスクのようなディスク(disc)、ここではディスク(disk)と綴られる、を収容するディスクカートリッジの幾つかの実施態様が既知である。この脈絡において、米国特許第６，０１４，３６５号が参照される。カートリッジは、ダスト、スクラッチ、指紋等からディスクを保護し、且つ、ディスクの機械的インターフェースがディスク駆動装置内の駆動部材によって係合されることを可能にする機能を有する。カートリッジは技術的機能性によって主として規定される機能を有するので、既知のカートリッジは技術的設計を有し、如何なる追加的な機能性も提供しない。
【発明の開示】
【発明が解決しようとする課題】
【０００３】
一方では、技術的基準を満足するよう設計され、他方では、設計及び／又は追加的機能性のより多くの可能性を提示するカートリッジを提供することが本発明の目的である。
【課題を解決するための手段】
【０００４】
この目的は、本発明に従ったカートリッジによって達成される。カートリッジは、読取り可能及び／又は書込み可能なデータ記憶媒体を保護するという主要機能を有し、データ記憶媒体を包含するための第一カートリッジ部分と、第一カートリッジ部分に接続され且つ第一カートリッジ部分から突出する第二カートリッジ部分とを含み、第二カートリッジ部分は、少なくとも１つの二次的機能を遂行するようカスタマイズ可能である。
【０００５】
カートリッジをより多くの部分に分割することによって、１つの部分は、データ記憶媒体によって規定される技術的仕様に従って設計され得るし、他の部分は、追加的な機能性及び／又は興味を引く設計を生み出すよう設計され得る。それによって、カートリッジの第二部分は、カートリッジ設計をカスタマイズする自由をもたらす。
【０００６】
カートリッジは、好ましくは、請求項２の機能を有する。この実施態様では、カートリッジが電子装置、例えば、ディスク包含カートリッジの場合のディスク駆動装置内で使用される前に、第二カートリッジ部分を分離することは必要でない。データ記憶媒体を使用するために、カートリッジが完全に電子装置内に完全に挿入されるとき、ディスク駆動装置の内部空間は、カートリッジの全体形状及び寸法に適合されなければならない。この場合には、完全なカートリッジの形状及び寸法は、カートリッジの制約のない使用を許容するために、標準的な限度内に維持されなければならない。他の場合には、データ記憶媒体の使用の間、カートリッジの少なくとも一部が装置の外側にとどまることが可能であり、それはカートリッジの少なくとも第二カートリッジ部分の寸法及び／又は形状に課される要件を低減する。
【０００７】
カートリッジの好適実施態様が請求項３に定められる。この接続手段は、例えば、電子的又は機械的な接続であり得る。第一に述べられた場合において、第二カートリッジ部分は、１つ又はそれよりも多くの他の装置とのインターフェースを形成するという二次的機能を有する。そのような実施態様において、第二カートリッジ部分は、電子ディスクデータ保護をを生み出すために、例えば、電子機器を含み得る。そのような保護は、データ記憶媒体上のデータのコピー防止又は不正使用に対する保護から成り得る。このデータ保護実施態様において、第二カートリッジ部分をカスタマイズし得るのは、コンテンツ作成業者である。
【０００８】
この場合には、請求項６の実施態様が好ましく、それによって、顧客がカートリッジ保護を改竄することを阻止する。
【０００９】
もし接続手段が機械的接続であるならば、それはカートリッジを、一片の衣類、ハンガー、ペンダント、又は、それらの類似物のような他の物体に接続するために用い得る。
【００１０】
この実施態様は、装着可能な電子機器を生み出し、且つ、顧客がカートリッジをカスタマイズし、さらには、一片の宝石を生み出すことさえも可能にするために用いられ得る。
【００１１】
好ましくは、この実施態様において請求項８の機能が好ましいが、排他的ではない。同一のカートリッジを異なる方法で使用し、貯蔵し、或いは、装着するために、それを第一カートリッジ部分と組み合わせるために、さらには、一群の第二カートリッジ部分を生み出すためにさえ、顧客は、彼らの独自にカスタマイズされた第二カートリッジ部分を選択し得る。
【００１２】
本発明の他の実施態様が請求項１０に定められる。
【００１３】
本発明は、そのようなディスクカートリッジと共に使用するための電子装置にも関し、その場合には、電子装置は請求項１５の特徴を有し得る。
【００１４】
さらに、本発明は、データ記憶媒体を備える、本発明に従ったカートリッジに関する。例えば、ビデオ、音声、画像、データ、ゲーム等を区別するために、例えば、カートリッジ内のデータ記憶媒体上のコンテンツの種類を認識可能にするために、第二カートリッジ部分の特徴的機能を用い得る。第二カートリッジ部分の特徴的機能を、コンテンツ記載によっても形成し得る。
【００１５】
本発明はそれに限定されないが、データ記憶媒体は、好ましくは、光ディスクのような回転可能なディスクである。その上、本発明は、請求項１１に定められるような第二カートリッジ部分に関する。
【００１６】
本発明のさらなる詳細及び利点は、本発明を極めて概略的に例証する図面を参照することで、好適実施態様の記載から明らかであろう。
【発明を実施するための最良の形態】
【００１７】
図１は、読取り可能及び／又は書込み可能なデータ記憶媒体、この場合には、例えば、２０〜４０ｍｍの直径を有する小さな光ディスクＤを包含するカートリッジを極めて概略的に示している。主としてプラスチックから成り得るこのカートリッジは、その中に収容されるディスクを、ダスト、スクラッチ、指紋、及び、それらの類似物のような環境的影響から保護する。ディスクＤは、カートリッジ内に回転可能に収容され、光ディスクの場合には、カートリッジは、一般的に、ディスクを完全に封入する閉塞位置と、ディスクドライブの光学ピックアップユニットによって読み取られ且つ／或いは書き込まれ得るために、ディスクの少なくとも一部が露出する開放位置とを有する（図８）。カートリッジの一般的な構造及び配列は、従来技術において既知であり、ここではさらには解明されない。
【００１８】
本発明によれば、カートリッジは、少なくとも、ディスク（図示せず）を包含する第一カートリッジ部分１と、第一カートリッジ部分１に接続される第二カートリッジ部分２とを含む。第二カートリッジ部分２は、第一カートリッジ部分１から突出するような寸法を有し、且つ、第一カートリッジ部分１から突出するよう第一カートリッジ部分に接続されている。部分１及び２は、カートリッジの外形を共同で形成している。
【００１９】
図１に示される実施態様において、第一カートリッジ部分は平面的であり、１つの小さな開放側部を有する実質的に正方形のボックスである。この側部は、部分１及び２の接続位置において、第二カートリッジ部分２によって閉塞される。第一カートリッジ部分が全ての側部で閉塞され、第二カートリッジ部分２が、接続位置において、第一カートリッジ１の外壁の１つに対して位置付けられることも考えられる。
【００２０】
図１に例証されているように、第二カートリッジ部分２を交換し得るよう、第一部分及び第二部分は解放可能に接続可能である。これは顧客又は製造業者／販売業者のいずれかがカートリッジをカスタマイズすることを可能にする。製造業者は、カートリッジ内の様々な種類のディスク、例えば、ビデオディスク、音楽ディスク、データディスク、ゲームディスク、及び、それらの類似物を区別するために、カートリッジをカスタマイズすることを望むであろう。異なる形状又は色がカートリッジ内のディスクの種類を表示する。第二カートリッジ部分２も、ディスクの内容を記載するプリントのための担体としても使用し得る。
【００２１】
顧客は、例えば、機械的接続機能の観点から、或いは、その外観の観点から、カートリッジをカスタマイズすることを望むであろう。カートリッジを他の物体、例えば、一片の衣類、キーフォブ又は収納箱のような支持体、ハンガー、ペンダント、又は、それらの類似物に接続するために、第二カートリッジ部分は、接続手段３を備え得る。第二カートリッジ部分２の接続手段は、カートリッジをポケット、ベルト、又は、それらの類似物にクリップ留めするよう、図４に示されるようなクリップ４も備え得る。他のバージョンが図５に示されており、第二カートリッジ部分２は、カートリッジを、例えば、一片の衣類のボタンに接続するためのボタン穴５を含む。図６に示される実施態様において、第二カートリッジ部分２は、押圧スタッド又は押圧ファスナ６を含むので、２つ又はそれよりも多くのカートリッジを、第二カートリッジ部分２を通じて、互いに接続し得る。
【００２２】
図１において、第一カートリッジ部分１は、ここでは第一カートリッジ部分１の解放側部に隣接する小さな側壁内の溝の形態の、第一結合部材７を備える。第二カートリッジ部分２は、ここでは、第一カートリッジ部分１が第二カートリッジ部分２の脚８の間に収容されるよう、第一カートリッジ部分１の溝７と係合するよう構成された脚の形態の、第二結合部材８を含む。第一カートリッジ部分１からの第二カートリッジ部分２の除去を阻止し或いは防止するために、スナップ手段又は他の係止部材を設け得る。スナップ手段は、弾性アーム８に設けられ、或いは、第一カートリッジ部分１の溝７に設けられる。第一結合部材７及び第二結合部材８の多くの他の構造がもちろん考えられる。第二カートリッジ部分２は、好ましくは、第一カートリッジ部分１の上に解放可能に固定的に取り付けられる。
【００２３】
図２及び３は、組み立てられたカートリッジ部分１及び２を備えるカートリッジの２つの実施態様を示している。図面は、第二カートリッジ部分２が第一カートリッジ部分１から突出するが、この場合には、限定的な範囲だけ、且つ、第一カートリッジ部分と同軸にのみ突出し、第一カートリッジ部分１の外形又は断面を横方向／垂直方向に超えない。これは、第一カートリッジ部分１に接続された第二カートリッジ部分２を備える電子装置の駆動装置内でカートリッジを使用するのを容易にする。
【００２４】
図４は、本発明に従ったカートリッジの実施態様を示しており、第二カートリッジ部分２は第一カートリッジ部分１の外側に設けられ、第一カートリッジ部分１を越えて上向きに突出し、この部分１とかなりの程度までオーバーラップしている。この第二カートリッジ部分２はクリップ４を備え、クリップを用いて、平面的部分を第一カートリッジ部分１の上側と第二カートリッジ部分２のクリップ４との間に締め付け得る。このようにして、例えば、ベルト又はポケットのような一片の衣類又はその類似物に、カートリッジをクリップ留めし得る。第二カートリッジ部分２は開口９を備える部分も有し、開口を通じて、例えば、それを装着する目的でカートリッジを懸架するために、ハンガー、キーフォブ、又は、それらの類似物を通し得る。
【００２５】
図５は、カートリッジの実施態様を示しており、第一カートリッジ部分１は、円形輪郭を有し、第二カートリッジ部分２は、カートリッジ上にラグを形成し、且つ、ボタン穴５を有し、ボタン穴を用いて、カートリッジを一片の衣類又はその類似物のボタンに締結し得る。第二カートリッジ部分２は、カートリッジがディスク駆動装置内に導入される前に、第一カートリッジ部分１から分離されなければならないように形成されるか、或いは、カートリッジをディスク駆動装置内に装填するときに、第一カートリッジ部分に接続されたままであり得るよう形成され得る。
【００２６】
図６の実施態様は、図５に示されるラグと類似のラグ形状を有する第二カートリッジ部分２を備える。しかしながら、この実施態様において、第二カートリッジ部分２は押圧ファスナ６を有し、押圧ファスナ６は、他のカートリッジの押圧ファスナ６を両側からそこに接続し得るので、互いに接続された積重ねカートリッジを形成し得るような構造を有する。このようにして、多数のカートリッジを一緒に貯蔵し得る。
【００２７】
図７及び８の実施態様において、カートリッジは、装飾品又は一片の宝石として、この場合には、ネクタイ留めとして装着され得るよう構成されている。第二カートリッジ部分２は、フォーク形状であり、第二カートリッジ部分２のフォーク形状部分の脚の間で摺動可能なクリップ１０を備える。カートリッジをネクタイ又は他の部分に取り付け続けるよう、それは弾性的に曲げられる。
【００２８】
第一カートリッジ部分１は、図７の実施態様では、円形の円周を有し、図８の実施態様では、平坦化された部分を備える円形である。もしデータ記憶媒体がディスクであるならば、それは図８の実施態様では比較的より小さい。第一カートリッジ部分１の他の円周形状も考えられる。
【００２９】
図９は、本発明に従ったカートリッジのさらなる実施態様を示しており、第二カートリッジ部分２は異なる二次的機能を有する。この二次的機能のために、第二カートリッジ部分２は、第二カートリッジ部分２内の電子機器を作動するために、押しボタン又は他の制御手段を備える。これらの電子機器は、例えば、第一カートリッジ部分１内のディスク上のデータの選択的解放の機能を有し得る。押しボタン１６で特定のコードを入力することによって、ディスクのコンテンツの全体又は一部が解放される。コード又は複数コードは、一般的には費用の支払い後、コンテンツプロバイダによって提供される。この実施態様において、第二カートリッジ部分２は、データディスクから選択的データのみを読み取るためにディスク駆動装置内のプロセッサと協働するよう、インターフェース、即ち、電子接続も有すべきである。
【００３０】
この実施態様では、第一カートリッジ部分１と第二カートリッジ部分２との間にも電子接続があり得る。さらに、この実施態様では、第二カートリッジ部分２は、少なくとも顧客がそれらを分離し得ないよう、第一カートリッジ部分１に接続される。ディスクカートリッジの製造業者又はディスクの製造業者は、或いは、販売業者さえも、第一カートリッジ部分１及び第二カートリッジ部分２を組み立て、特定の場合には、特殊工具又はその類似物を用いて、それらを分離することもできる。
【００３１】
第二カートリッジ部分２内の電子機器は、（例えば、第二カートリッジ部分内のチップを用いた）コピー防止のような他の二次的機能又は他の電子機能も有し得る。
【００３２】
図１０は、ＰＤＡ、携帯電話、ディスクプレーヤー、又は、それらの類似物のような電子装置を示しており、筐体１１と、その内部に収容されるディスク駆動装置とを含む。このディスク駆動装置は、モータ１２及びスピンドル１３、並びに、ディスクＤから／へデータを読み取り／書き込むためのピックアップユニット１５を含む光学系１４を含む。ディスクＤは、駆動されるために、モータ１２のスピンドル１３によって係合される締付地域を有する。図８において、ディスクＤは、開放位置にあるカートリッジ部分１を備えるカートリッジ内に収容されているように示されており、ピックアップユニット１のレンズがディスク１に極めて近接して位置付けられるために、ディスクＤの大部分は露出している。カートリッジは、第一カートリッジ部分１に接続された第二カートリッジ部分２を備えるディスク駆動装置内に挿入される。電子装置内の空間は、第一カートリッジ部分１及び第二カートリッジ部分２の双方を収容するのに十分である。
【００３３】
本発明は、製造業者、データ作成業者、販売業者、及び、顧客によるカスタマイズの大きな可能性をもたらすデータ記憶カートリッジを提供することが前記のものから明らかであろう。
【００３４】
本発明は、図面に示されたような上記の実施態様に限定されず、添付の請求項の範囲から逸脱することなしに、幾つかの方法で変更され得る。例えば、第二カートリッジ部分２の他の接続手段は、ジッパ、Ｖｅｌｃｒｏ（Ｒ）、安全ピン、及び、それらの類似物であり得る。
【００３５】
明細書及び請求項内の素子に先行する不定冠詞の使用は、そのような素子が複数存在することを排除しないこと、並びに、「含む」という動詞及びその活用形の使用は、請求項において述べられるもの以外の素子の存在を排除しないことが留意されるべきである。括弧内に配置される如何なる参照符号も、請求項を限定するものと解釈されてはならない。一組の請求項内に定められるような様々な特徴的機能は組み合わせで起こり得ることがさらに留意されるべきである。
【００３６】
好適実施態様において、ディスクは光データディスクである。しかしながら、磁気ディスク又は光磁気ディスクのような全ての種類の異なるディスク、並びに、ＥＥＰＲＯＭ又は他のメモリ種類のような他のデータ記憶媒体を包含するカートリッジのためにも、本発明を用い得る。
【図面の簡単な説明】
【００３７】
【図１】１つの第一カートリッジ部分及び３つの交換可能な第二カートリッジ部分を示すカートリッジ組立体を概略的に示す斜視図である。
【図２】図１の第一カートリッジ部分及び１つの第二カートリッジ部分を含む組み立てられたカートリッジを示す斜視図である。
【図３】第一カートリッジ部分及び他の第一カートリッジ部分を含む他のカートリッジを示す斜視図である。
【図４】本発明に従ったカートリッジの他の実施態様を示す斜視図である。
【図５】第一カートリッジ部分及び第二カートリッジ部分の他の実施態様の一部を示す斜視図である。
【図６】第二カートリッジ部分を用いて互いに接続され得る、２つの積み重ねられたカートリッジの一部を示す斜視図である。
【図７】本発明に従ったカートリッジのさらなる実施態様を示す斜視図である。
【図８】本発明に従ったカートリッジのさらなる実施態様を示す平面図である。
【図９】本発明に従ったカートリッジの他の実施態様を示す斜視図である。
【図１０】本発明に従ったカートリッジと共に使用するための電子装置を極めて概略的に示す断面図である。
【図１】
2008503021.tif 000003
【図２】
2008503021.tif 000004
【図３】
2008503021.tif 000005
【図４】
2008503021.tif 000006
【図５】
2008503021.tif 000007
【図６】
2008503021.tif 000008
【図７】
2008503021.tif 000009
【図８】
2008503021.tif 000010
【図９】
2008503021.tif 000011
【図１０】
2008503021.tif 000012
【国際調査報告】
2008503021.tif 000013
2008503021.tif 000014
2008503021.tif 000015